(57)【要約】【課題】スクリーンに映像を投影する表示装置において、映像を明るくした状態で視認させる。【解決手段】表示装置は、所定の反射率を有する表面部２０と、表面部２０よりも反射率が高い高反射部２２とを、表面に有するスクリーン１４と、スクリーン１４に表示させる映像が変化するように、スクリーン１４の表面に映像を投影する投影装置１２と、を有する。【選択図】図１
2019040095.tif 000002
【特許請求の範囲】
【請求項１】
所定の反射率を有する表面部と、前記表面部よりも反射率が高い高反射部とを、表面に有するスクリーンと、
前記スクリーンに表示させる映像が変化するように、前記スクリーンの表面に前記映像を投影する投影装置と、を有する、表示装置。
【請求項２】
前記スクリーンは、ドーム状である、請求項１に記載の表示装置。
【請求項３】
前記高反射部は、表面が、前記表面部よりも曲率が大きい曲面形状である、請求項２に記載の表示装置。
【請求項４】
前記スクリーンは、前記高反射部を覆い、前記表面部と同等の反射率を有するカバー部を有する、請求項１から請求項３のいずれか１項に記載の表示装置。
【請求項５】
前記カバー部の開閉を制御する制御部を更に有し、
前記制御部は、前記カバー部を開くことで前記高反射部を露出させ、前記カバー部を閉じることで、前記高反射部を覆う、請求項４に記載の表示装置。
【請求項６】
請求項１から請求項５のいずれか１項に記載の表示装置を有し、前記投影装置が、前記映像として星の映像を投射し、前記映像の投影方向を変化させることで、前記スクリーンに表示させる映像を変化させる、プラネタリウム装置。
【請求項７】
前記投影装置は、ビデオプロジェクタである、請求項６に記載のプラネタリウム装置。
【発明の詳細な説明】
【技術分野】
【０００１】
本発明は、表示装置及びプラネタリウム装置に関する。
【背景技術】
【０００２】
スクリーンに映像を投影する表示装置として、スクリーンに星の映像を投影するプラネタリウム装置がある。プラネタリウム装置としては、従来、光学式の投影機を用いた光学式プラネタリウムが一般的であったが、ビデオプロジェクタを併用してさまざまなコンテンツを表示するプラネタリウム装置が増加してきている。ビデオプロジェクタを用いたプラネタリウム装置は、さまざまな映像を投影することができるが、光学式プラネタリウムのような鮮鋭度の高い星像は得られず、その点ではまだ光学式に優位性がある。だが、光学式プラネタリウムでは、ひとつひとつの星の明滅を行なうことは簡単には出来ないため、実際の星空に比べて現実感に乏しいという欠点がある。特許文献１には、表示する恒星の数に相当する光ファイバを用意し、そこに別々のシャッター（液晶）を設け、それを制御することで投影光源の量を増減し明滅を表現するプラネタリウム装置が記載されている。
【先行技術文献】
【特許文献】
【０００３】
【特許文献１】特開２００９−２１０９１２号公報
【発明の概要】
【発明が解決しようとする課題】
【０００４】
しかし、特許文献１のプラネタリウム装置は、非常に複雑な構成を必要とし、製造に手間が掛かる上、コストも膨大となるという問題がある。また、新開発する光学式投影装置に搭載することは可能でも、従来から設置されている光学式投影装置に応用することは困難である。さらにビデオプロジェクタを用いた投影装置に用いることはできない。従って、例えばプラネタリウム装置など、スクリーンに映像を投影する表示装置において、映像を明るくした状態で視認させることが求められている。
【０００５】
本発明は、上記課題を鑑み、スクリーンに映像を投影する表示装置において、映像を明るくした状態で視認させる表示装置及びプラネタリウム装置を提供することを目的とする。
【課題を解決するための手段】
【０００６】
本発明の一態様にかかる表示装置は、所定の反射率を有する表面部と、前記表面部よりも反射率が高い高反射部とを、表面に有するスクリーンと、前記スクリーンに表示させる映像が変化するように、前記スクリーンの表面に前記映像を投影する投影装置と、を有する。
【発明の効果】
【０００７】
本発明によれば、スクリーンに映像を投影する表示装置において、映像を明るくした状態で視認させることができる。
【図面の簡単な説明】
【０００８】
【図１】図１は、第１実施形態に係るプラネタリウム装置の模式図である。
【図２】図２は、第１実施形態に係るスクリーンの模式図である。
【図３】図３は、第１実施形態に係るスクリーンの模式図である。
【図４】図４は、投影装置からの投影方向が変化した例を説明する説明図である。
【図５Ａ】図５Ａは、視聴者からの視認の仕方を示す説明図である。
【図５Ｂ】図５Ｂは、視聴者の位置が違う場合の視認の仕方を示す説明図である。
【図６】図６は、第２実施形態に係るスクリーンの模式図である。
【図７】図７は、第２実施形態に係るスクリーンの模式図である。
【図８】図８は、第３実施形態に係るプラネタリウム装置の模式図である。
【図９】図９は、第３実施形態に係るプラネタリウム装置の模式図である。
【発明を実施するための形態】
【０００９】
以下に、本発明の実施形態を図面に基づいて詳細に説明する。なお、以下に説明する実施形態により本発明が限定されるものではない。
【００１０】
（第１実施形態）
図１は、第１実施形態に係るプラネタリウム装置の模式図である。図１に示すように、第１実施形態に係るプラネタリウム装置１０は、投影装置１２と、スクリーン１４とを有する。表示装置としてのプラネタリウム装置１０は、投影装置１２によってスクリーン１４に映像を投影させることで、投影した映像をスクリーン１４上に表示する。本実施形態では、プラネタリウム装置１０は、投影装置１２が星の映像をスクリーン１４に投影し、スクリーン１４上に星の映像を表示させる。ただし、プラネタリウム装置１０は、星の映像を表示することに限られず、表示装置として、任意の映像を表示させてもよい。
【００１１】
投影装置１２は、星の映像、すなわち星空の映像をスクリーン１４に投影する装置である。本実施形態では、投影装置１２は、ビデオプロジェクタであり、星の映像を生成してそれをスクリーン１４に投影する。投影装置１２は、例えば、液晶素子に光源光を入射させ、液晶素子を通った光源光を、星の映像として、スクリーン１４に向かって投影させる。投影装置１２は、液晶素子の配列を制御することで、星の映像を生成する。このように、プラネタリウム装置１０は、デジタル式のプラネタリウムである。ただし、プラネタリウム装置１０は、スクリーン１４に星の映像を表示するものであれば、デジタル式に限られず、例えば光学式のプラネタリウムであってもよい。この場合、投影装置１２は、例えば、恒星原板を通った光をスクリーン１４に投影して、スクリーン１４上に星空を再現する。すなわち、プラネタリウム装置１０は、光学式においても、スクリーン１４の表面に光を投影させて星空を再現しているため、スクリーン１４に星の映像を表示させているということができる。
【００１２】
投影装置１２は、スクリーン１４への映像の投影方向を変化させる。投影装置１２は、例えば回転するなど可動するものであり、スクリーン１４に対する相対位置を変化させることで、投影方向を変化させる。投影装置１２は、例えば生成する映像が静止画像であっても（生成する映像自体を変化させなくても）、投影方向を変化させることで、スクリーン１４上での映像（星）の位置を動かして、スクリーン１４に表示させる映像を変化させている。ただし、投影装置１２は、スクリーン１４に表示させる映像が変化するように、映像を投影するものであれば、投影方向を変化させなくてもよい。例えば、投影装置１２は、投影方向を固定したまま、生成する映像自体を変化させることで、スクリーン１４に表示する映像を変化させてもよい。また、投影装置１２は、投影方向と、生成する映像との両方を変化させることで、スクリーン１４に表示する映像を変化させてもよい。
【００１３】
本実施形態においては、プラネタリウム装置１０は、投影装置１２を１つ有しているが、複数の投影装置１２を有していてもよい。
【００１４】
図２及び図３は、第１実施形態に係るスクリーンの模式図である。図２は、スクリーン１４を平面状に見た図であり、図３は、スクリーン１４の一部断面図である。図１に示すように、スクリーン１４は、ドーム形状のスクリーンであり、内部に投影装置１２が設けられる。スクリーン１４は、投影装置１２からの光（映像）が、表面、すなわち内面に投影され、この内面において、投影された星の映像を表示する。スクリーン１４は、表面（内面）に、表面部２０と、高反射部２２とを有する。なお、スクリーン１４は、ドーム形状、すなわち内面が凹状の曲面形状（凹状の球面形状）であるが、それに限られず、例えば表面が平面状であってもよい。
【００１５】
図１及び図３に示すように、表面部２０は、スクリーン１４の表面（内面）に設けられる部材である。表面部２０は、スクリーン１４の内面に沿って、凹形状の曲面形状（凹状の球面形状）となっている。表面部２０は、表面が所定の反射率となっており、例えば、表面に白や灰色などの光沢を有さないコーティングが付されている。表面部２０は、投影装置１２からの光を拡散反射することで、投影装置１２から投影された映像を表示する。
【００１６】
高反射部２２は、スクリーン１４の表面（内面）に設けられている。図１及び図２に示すように、高反射部２２は、表面部２０上に複数設けられている。高反射部２２は、表面部２０（スクリーン１４の内面）上に均等に分布してもよいし、不均一に分布していてもよい。高反射部２２は、スクリーン１４の内面側（表面部２０側）に固定して設けられているため、スクリーン１４の内面において位置が固定され、位置が移動しない。
【００１７】
図３に示すように、高反射部２２は、曲面形状となっている。より詳しくは、高反射部２２は、表面部２０の表面から突出する凸状の曲面形状、より詳しくは半球形状となっている。高反射部２２は、表面部２０、すなわちスクリーン１４の内面全体よりも径が小さく、曲率が、表面部２０、すなわちスクリーン１４の内面全体とは異なっている。このように、高反射部２２は、曲率が表面部２０とは異なる曲面形状となっている。より詳しくは、高反射部２２は、曲率が表面部２０より大きい曲面形状となっている。なお、本実施形態では、高反射部２２は、表面部２０の表面からスクリーン１４の中心側に突出する凸状であったが、表面部２０よりもスクリーン１４の放射方向外側に窪んでいる凹状の曲面形状（凹状の半球面形状）であってもよい。
【００１８】
スクリーン１４全体の領域に対する高反射部２２の占める領域は、１０％程度であることが好ましいが、それに限られない。
【００１９】
高反射部２２は、表面部２０の表面よりも、表面の反射率が高い。また、高反射部２２は、拡散反射に対する鏡面反射（正反射）の比率が、表面部２０よりも大きい。すなわち、高反射部２２は、表面部２０よりも拡散反射を弱く行い、表面部２０よりも鏡面反射を強く行う。高反射部２２は、鏡面反射を行うが拡散反射を行わない部材であることがより好ましい。高反射部２２は、例えば、表面にシルバー塗料などの光沢を有するコーティングが付されている。
【００２０】
このように、スクリーン１４は、内面に、表面部２０と高反射部２２とが設けられている。高反射部２２は、表面部２０上に設けられ、表面部２０よりも反射率が高い。すなわち、スクリーン１４は、映像が投影される表面（内面）に、所定の反射率を有する第１領域Ａと、第１領域Ａよりも反射率が高い第２領域Ｂとが設けられているということができる。本実施形態では、第１領域Ａは、スクリーン１４の内面の一部の領域であって、表面部２０が設けられ、高反射部２２が設けられていない領域であるといえる。また、第２領域Ｂは、スクリーン１４の内面の第１領域Ａ以外の領域であって、高反射部２２が設けられている領域であるといえる。言い換えれば、第１領域Ａは、スクリーン１４の内面において、表面部２０の表面が占める領域であり、第２領域Ｂは、スクリーン１４の内面において、高反射部２２の表面が占める領域である。
【００２１】
図２及び図３に示すように、投影装置１２からスクリーン１４に投影された映像のうち、表面部２０（第１領域Ａ）に表示される映像ＳＡは、表面部２０（第１領域Ａ）から視聴者に向けて反射されることにより、視聴者に視認される。そして、投影装置１２からスクリーン１４に投影された映像のうち、高反射部２２（第２領域Ｂ）に表示される映像ＳＢは、高反射部２２（第２領域Ｂ）から視聴者に向けて反射されることにより、視聴者に視認される。映像ＳＢは、映像ＳＡよりも強く反射されて視聴者に視認される像である。従って、視聴者は、映像ＳＡよりも、映像ＳＢをより明るく感じる。また、第２領域Ｂ（高反射部２２）は、第１領域（表面部２０）よりも拡散反射が弱く鏡面反射が強い。従って、映像ＳＢは、映像ＳＡよりも、コントラストが高く鮮鋭度の高い像となる。このように、プラネタリウム装置１０は、高反射部２２に投影された映像ＳＢを、明るくした状態で、視聴者に視認させることができる。
【００２２】
以下、さらに表面部２０（第１領域Ａ）に表示される映像と高反射部２２（第２領域Ｂ）に表示される映像とについて説明する。図４は、投影装置からの投影方向が変化した例を説明する説明図である。図４は、投影装置１２が投影方向を変化させながらスクリーン１４の内面に映像を投影した例を説明している。図４に示すように、投影装置１２は、時間経過に応じた星の相対位置の動きに対応して、投影方向を変化させる。これにより、スクリーン１４の内面に表示される星空の映像は、時間経過に応じて変化し、星の位置を変化させる。図４の例では、映像内の１つの星が、あるタイミングにおける位置Ｐ１から、時間経過後の位置Ｐ２まで移動する例を説明している。位置Ｐ１及び位置Ｐ２は、スクリーン１４の内面において、表面部２０（第１領域Ａ）に属している。そして、位置Ｐ１と位置Ｐ２との間の位置Ｐ３は、スクリーン１４の内面において、高反射部２２（第２領域Ｂ）に属している。従って、この星の映像は、位置Ｐ１、Ｐ２においては、通常の明るさの像として視聴者に視認される。一方、この星の映像は、位置Ｐ３を通る際に、高反射部２２で強く反射されて、明るさが増加した像となる。従って、視聴者は、この星が、位置Ｐ３を通る際だけ、明るく輝いたように（鮮鋭度が高くなったように）視認する。このように、プラネタリウム装置１０は、スクリーン１４上に表示される映像が変化する際に、表面部２０に投影される像の明るさを保ったまま、高反射部２２に投影される像の明るさを高くすることができる。
【００２３】
図５Ａは、視聴者からの視認の仕方を示す説明図である。図５Ａでは、星の映像がスクリーン１４の内面に沿って方向Ｍに動き、視聴者の視点が、視点Ｖである場合を説明している。表面部２０（第１領域Ａ）に表示される映像は、投影装置１２から出射されて表面部２０で反射されて視聴者まで届く像である。表面部２０は、拡散反射が強い領域であるため、入射された像を異なる方向に反射可能である。従って、図５Ａに示すように、視点Ｖには、表面部２０の異なる位置から反射された像が届く。一方、高反射部２２（第２領域Ｂ）は、鏡面反射が強い領域であり、拡散反射が弱い。従って、高反射部２２（第２領域Ｂ）のある位置に入射された像は、決まった一方向に反射される。そのため、視聴者の位置によっては、この像を視認することができないおそれがある。しかし、本実施形態では、画像が変化し、かつ、高反射部２２が曲面形状となっている。そのため、高反射部２２からの像は、あるタイミングにおいて視聴者に向けて反射されなくても、別のタイミングにおいて視聴者に向けて反射される。従って、１つの高反射部２２に投影された像は、視点Ｖに対し、異なるタイミングで反射可能であり、視聴者に視認可能となる。例えば図５Ａの例では、図５Ａの左側の高反射部２２に入射された光線Ｌａは、視点Ｖと異なる位置に向けて反射される。従って、視点Ｖからは、この光線Ｌａに対応する像を視認することができない。しかし、その少し後のタイミングでは、この光線Ｌａに対応する像が、方向Ｍに少し動き、光線Ｌｂとして、左側の高反射部２２の別の位置に入射する。従って、この少し後のタイミングにおいては、光線Ｌｂが視点Ｖに向けて反射され、視聴者は、光線Ｌｂに対応する像（光線Ｌａと同じ像）を視認可能となる。同様に、図５Ａの右側の高反射部２２に入射された光線Ｌｃは、視点Ｖと異なる位置に向けて反射される。そして、その少し後のタイミングでは、この光線Ｌｃに対応する像が、方向Ｍに少し動き、光線Ｌｄとして右側の高反射部２２の別の位置に入射する。従って、この少し後のタイミングにおいては、光線Ｌｄが視点Ｖに向けて反射され、視聴者は、光線Ｌｄに対応する像（光線Ｌｃと同じ像）を視認可能となる。このように、本実施形態においては、高反射部２２を曲面形状とすることで、高反射部２２に入射される像を、異なるタイミングで様々な方向に反射させることができる。従って、視聴者は、様々な位置に配置された高反射部２２からの像を、明るさを高くした状態で、適切に視認することができる。
【００２４】
図５Ｂは、視聴者の位置が違う場合の視認の仕方を示す説明図である。図５Ｂでは、星の映像がスクリーン１４の内面に沿って方向Ｍに動き、視聴者の視点が、視点Ｖ１、Ｖ２と異なる場合を説明している。表面部２０は、拡散反射が強い領域であるため、投影装置１２から投影された同じ像が、視点Ｖ１、Ｖ２の両方で視認可能となる。一方、高反射部２２（第２領域Ｂ）は、鏡面反射が強い領域であり、拡散反射が弱い。しかし、本実施形態では、画像が変化し、かつ、高反射部２２が曲面形状となっている。従って、１つの高反射部２２に投影された像は、視点Ｖ１、Ｖ２の両方に、異なるタイミングで反射可能である。具体的には、図５の例では、星の像が左側の高反射部２２に投影されたタイミングにおいて、光線Ｌ１に示すように、左側の高反射部２２に反射された星の像が、視点Ｖ２に届く。そして、その少し後のタイミング、すなわち星の像が方向Ｍに少し動いたタイミングにおいては、光線Ｌ２に示すように、左側の高反射部２２に反射された星の像が、視点Ｖ１に届く。同様に、星の像が右側の高反射部２２に投影されたタイミングにおいて、光線Ｌ３に示すように、右側の高反射部２２に反射された星の像が、視点Ｖ２に届く。そして、その少し後のタイミングにおいては、光線Ｌ４に示すように、右側の高反射部２２に反射された星の像が、視点Ｖ１に届く。従って、高反射部２２においても、投影装置１２から投影された同じ像が、明るさを高くした状態で、視点Ｖ１、Ｖ２の両方で視認可能となる。このように、本実施形態では、高反射部２２を曲面形状とすることで、明るさを高くした映像を、全てのエリアの視聴者に適切に視認させることが可能となる。なお、図５Ａ、図５Ｂの例では高反射部２２は凸状であるが、曲面であれば、例えば凹状であっても同様の効果を奏する。
【００２５】
以上説明したように、第１実施形態に係るプラネタリウム装置１０（表示装置）は、スクリーン１４と投影装置１２とを有する。スクリーン１４は、所定の反射率を有する表面部２０と、表面部２０よりも反射率が高い高反射部２２とを、表面に有する。また、投影装置１２は、スクリーン１４に表示させる映像が変化するように、スクリーン１４の表面に映像を投影する。
【００２６】
スクリーン１４に映像を表示する際、例えば星のきらめきのように、明るさの高い映像を一部だけ表示することが求められる場合がある。しかし、反射率が一様なスクリーンを用いた場合、明るさの高い映像を一部だけに表示することが困難である。例えば光学式のプラネタリウムの場合、一部の星だけの明るさを上げてきらめかせることは難しい。また、デジタル式のプラネタリウムの場合、一部の星の映像だけ明るさ（輝度）を高くすることも可能であるが、星のきらめきなど、鮮鋭度を高くした状態で明るさを高くすることはできない。それに対し、本実施形態に係るプラネタリウム装置１０は、スクリーン１４の表面に、表面部２０よりも反射率が高い高反射部２２が設けられている。高反射部２２からの反射光は、鮮鋭度が高く、かつ明るくなる。従って、スクリーン１４の内面に投影される映像のうち、高反射部２２に投影された映像は、明るさが高い映像として視聴者に視認される。また、本実施形態では、スクリーン１４に高反射部２２を設けるだけで、明るさが高い映像を、容易に実現可能である。このように、本実施形態に係るプラネタリウム装置１０（表示装置）は、映像を、明るくした状態で視聴者に視認させることが可能となる。
【００２７】
また、スクリーン１４は、ドーム状であることが好ましい。このプラネタリウム装置１０（表示装置）は、スクリーン１４がドーム状であり、曲面状の内面に映像を投射する。従って、このプラネタリウム装置１０（表示装置）は、例えば星空などの映像を、明るさを高くした状態でより好適に視認させることができる。
【００２８】
また、高反射部２２は、表面部２０より曲率が大きい曲面形状であることが好ましい。このプラネタリウム装置１０（表示装置）は、高反射部２２が曲面形状であるため、高反射部２２に投影されて明るさが高くなった映像を、異なる位置にいる視聴者に適切に視認させることが可能となる。
【００２９】
また、プラネタリウム装置１０は、投影装置１２が、映像として星の映像を投射し、映像の投影方向を変化させることで、スクリーン１４に表示させる映像を変化させることが好ましい。このプラネタリウム装置１０は、このように映像の投影方向が変化して星の位置が移動する場合に、あるタイミングで高反射部２２を通らせて、星のきらめきを再現することができる。例えば、投影装置１２が光学式である場合に、高反射部２２によって、星の明滅を視聴者に視認させることが可能となる。また、投影装置１２がビデオプロジェクタである場合、高反射部２２によって、鮮鋭度を向上させることが可能となる。従って、プラネタリウム装置１０は、星のきらめきなど、臨場感に優れた映像を提供することで、エンターテイメント性を向上させることができる。
【００３０】
また、投影装置１２は、ビデオプロジェクタであることが好ましい。このプラネタリウム装置１０は、ビデオプロジェクタからの映像を投影することで、星の明滅を投影装置１２によって生成する映像で、星の明滅を再現しつつ、スクリーン１４によって、映像の鮮鋭度を向上させることができる。
【００３１】
（第２実施形態）
次に、第２実施形態について説明する。第２実施形態に係るプラネタリウム装置１０ａ（表示装置）は、スクリーン１４ａの構造が、第１実施形態と異なる。第２実施形態において第１実施形態と構成が共通する箇所は、説明を省略する。
【００３２】
図６及び図７は、第２実施形態に係るスクリーンの模式図である。図６は、第２実施形態に係るスクリーン１４ａの一部断面図であり、図７は、スクリーン１４ａの内面を平面状に見た図である。図６に示すように、スクリーン１４ａは、吸音部２１と、表面部２０ａと、高反射部２２ａとを有する。吸音部２１は、スクリーン１４ａの内面側に設けられ、周囲の音を吸収する層である。吸音部２１は、吸音材によって構成される。吸音材としては、例えばグラスウールやウレタンなどの多孔質系の材料、又は振動によって吸音する板状部材などが挙げられるが、吸音可能な層であれば、材料は任意である。
【００３３】
図６に示すように、表面部２０ａは、吸音部２１の表面、すなわち吸音部２１よりもスクリーン１４ａの中心側に設けられている。表面部２０ａは、複数の穴部３０を有する点で、第１実施形態に係る表面部２０と異なる。穴部３０は、表面部２０ａのスクリーン１４ａの中心側の表面から、その反対側の面（吸音部２１側の面）までを貫通する穴である。図７に示すように、穴部３０は、表面部２０ａの表面に、略均一に分布して複数設けられている。表面部２０ａは、例えばパンチングメタルであってもよい。
【００３４】
図６に示すように、高反射部２２ａは、挿入部４０と頭部４２とを有している。挿入部４０は、表面部２０ａの穴部３０に挿入される軸状の部材である。頭部４２は、挿入部４０の先端に設けられる部材であり、表面部２０ａの表面から突出する凸状の曲面形状（半球形状）となっている。頭部４２は、凸状であることが好ましいが、凸状に限られず任意の形状であってよく、例えば凹状の曲面形状（凹状の半球面形状）であってもよい。高反射部２２ａは、頭部４２の表面が、表面部２０ａよりも反射率が高くなっている。すなわち、高反射部２２ａは、頭部４２が、第１実施形態に係る高反射部２２と同じ形状及び表面性状となっている。高反射部２２ａの頭部４２の径は、穴部３０の径よりも大きくなっている。
【００３５】
図６及び図７に示すように、高反射部２２ａは、複数の穴部３０のうちの一部に取付けられている。また、高反射部２２ａは、隣接する穴部３０の両方には設けられていない。言い換えれば、高反射部２２ａは、高反射部２２ａが設けられていない穴部３０を隔てて、複数設けられている。ただし、高反射部２２ａは、穴部３０に取付けられていれば、穴部３０への配置は任意であり、例えば複数の穴部３０の全てに設けられてよいし、隣接する穴部３０の両方に設けられてもよい。
【００３６】
第２実施形態においては、第１領域Ａａは、スクリーン１４ａの内面の表面部２０ａが占める領域のうち、穴部３０及び高反射部２２ａが設けられていない領域である。また、第２領域Ｂａは、スクリーン１４ａの内面の領域のうち、高反射部２２ａが占める領域である。
【００３７】
例えばスクリーン１４ａがドーム状である場合、スクリーン１４ａ内では集音される場合があり、音が不要に集中する場合がある。第２実施形態においては、吸音部２１が、高反射部２２ａが設けられていない穴部３０を介して、スクリーン１４ａの内部側に連通している。従って、スクリーン１４ａ内の音が、吸音部２１で吸収され、不要な音の集中を抑制することができる。このように、第２実施形態に係るスクリーン１４ａによると、吸音部２１によって音の集中を抑制しつつ、高反射部２２ａによって映像の鮮鋭度を容易に高くすることができる。
【００３８】
（第３実施形態）
次に、第３実施形態について説明する。第３実施形態に係るプラネタリウム装置１０ｂ（表示装置）は、スクリーン１４ｂにカバー部３４が設けられている点で、第１実施形態と異なる。第３実施形態において第１実施形態と構成が共通する箇所は、説明を省略する。
【００３９】
図８及び図９は、第３実施形態に係るプラネタリウム装置の模式図である。図８に示すように、第３実施形態に係るプラネタリウム装置１０ｂは、投影装置１２と、スクリーン１４ｂと、制御部１６とを有する。スクリーン１４ｂは、表面部２０ｂと、高反射部２２ｂと、カバー部３４とを有する。表面部２０ｂは、第１実施形態の表面部２０と同様の構成であり、反射率などの表面性状も、第１実施形態の表面部２０と同じである。高反射部２２ｂは、スクリーン１４ｂの内面（表面部２０ｂ）に設けられた凹形状の窪みである。より詳しくは、高反射部２２ｂは、表面部２０ｂよりもスクリーン１４ｂの放射方向外側に窪んでいる凹状の曲面形状となっている。高反射部２２ｂは、凹形状の窪みであることが好ましいが、これに限られず任意の形状であってもよい。高反射部２２ｂの反射率などの表面性状は、第１実施形態に係る高反射部２２と同じとなっている。
【００４０】
カバー部３４は、高反射部２２ｂの底面を覆うように設けられた部材である。カバー部３４は、曲面状の板状部材であり、表面部２０ｂと曲率が同じとなっている。カバー部３４は、スクリーン１４ｂの中心側の表面の性状が、表面部２０ｂと同等となっている。言い換えれば、カバー部３４は、表面の反射率が、表面部２０ｂの反射率と同じであり、拡散反射に対する鏡面反射（正反射）の比率も、表面部２０ｂと同じとなっている。
【００４１】
第３実施形態においては、表面部２０ｂの表面と、カバー部３４の表面とが、第１領域Ａｂとなり、高反射部２２ｂの底面（表面）が、第２領域Ｂｂとなる。
【００４２】
カバー部３４は、制御部１６により、開閉可能となっている。図８は、カバー部３４を閉じた状態を示し、図９は、カバー部３４を開いた状態を示している。図８に示すように、カバー部３４は、閉じられた際に、高反射部２２ｂの底面を覆う位置に配置される。カバー部３４は、閉じた状態で、表面部２０ｂの表面と追従する形状となっている。図９に示すように、カバー部３４は、開いた状態で、高反射部２２ｂを覆う位置とは異なる位置に配置され、高反射部２２ｂの底面を露出させる。
【００４３】
従って、全てのカバー部３４が閉じている際は、高反射部２２ｂ（第２領域Ｂｂ）が露出しておらず、スクリーン１４ｂの内面は、表面部２０ｂとカバー部３４に占められた第１領域Ａｂのみとなる。また、少なくとも一部のカバー部３４が開いている際には、スクリーン１４ｂの内面は、表面部２０ｂ（とカバー部３４）に占められた第１領域Ａｂと、露出した高反射部２２ｂに占められる第２領域Ｂｂとが併存する。
【００４４】
制御部１６は、カバー部３４の開閉を切り替えることができる。制御部１６は、例えば、均一な反射率で映像を表示させたい場合は、全てのカバー部３４を閉じて、高反射部２２ｂを露出させないようにすることができる。また、制御部１６は、例えば一部の映像を鮮鋭にしたい際には、カバー部３４の少なくとも一部を開いておき、高反射部２２ｂを露出させることができる。このように、制御部１６は、カバー部３４の開閉を切り替えることで、映像をより好適に表示させることができる。なお、制御部１６は、複数のカバー部３４を個別に開閉制御させてもよい。これにより、ある領域において高反射部２２ｂを露出させ、他の領域では高反射部２２ｂを露出させないようにし、領域毎に明るさを変化させることができる。
【００４５】
また、制御部１６は、投影装置１２から投影する映像の情報を取得して、その映像の情報に基づき、カバー部３４の開閉を制御してもよい。例えば、制御部１６は、投影装置１２が生成した映像の情報と、投影装置１２の投影方向の移動情報とに基づき、映像がスクリーン１４ｂ上を移動する軌跡の情報を算出する。制御部１６は、この軌跡の情報に基づき、映像の移動に追従して、開くカバー部３４を変える。すなわち、制御部１６は、１つの星などの特定の像が移動しても、その像の移動に追従して、その像が投影される位置のカバー部３４を開くことで、その特定の像を継続的に明るくした状態で視聴者に視認させることができる。例えば、特定の像がスクリーン１４ｂの表面上の位置Ｐ３に投影されている場合に、制御部１６は、その位置Ｐ３に位置しているカバー部３４を開く。そして、その特定の像が位置Ｐ３から位置Ｐ４に移動した際に、制御部１６は、位置Ｐ３上のカバー部３４を閉じて、位置Ｐ４上のカバー部３４を開く。これにより、映像が移動しても、その特定の像の鮮鋭度を継続的に高くすることが可能となり、映像の視認性を向上させることができる。
【００４６】
以上説明したように、第３実施形態に係るスクリーン１４ｂは、カバー部３４を有する。カバー部３４は、高反射部２２ｂを覆い、表面部２０ｂと同等の反射率を有する。第３実施形態に係るプラネタリウム装置１０ｂ（表示装置）は、カバー部３４で高反射部２２ｂを覆うことが可能であるため、映像をより好適に表示させることができる。
【００４７】
また、第３実施形態に係るプラネタリウム装置１０ｂ（表示装置）は、カバー部３４の開閉を制御する制御部１６を有する。制御部１６は、カバー部３４を開くことで高反射部２２ｂを露出させ、カバー部３４を閉じることで高反射部２２ｂを覆う。このプラネタリウム装置１０ｂは、制御部１６によりカバー部３４の開閉を切り替えることで、映像をより好適に表示させることができる。
【００４８】
以上、本発明の実施形態を説明したが、これら実施形態の内容により実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００４９】
１０  プラネタリウム装置（表示装置）
１２  投影装置
１４、１４ａ、１４ｂ  スクリーン
１６  制御部
２０、２０ａ、２０ｂ  表面部
２１  吸音部
２２、２２ａ、２２ｂ  高反射部
３０  穴部
３４  カバー部
Ａ、Ａａ、Ａｂ  第１領域
Ｂ、Ｂａ、Ｂｂ  第２領域
【図１】
2019040095.tif 000003
【図２】
2019040095.tif 000004
【図３】
2019040095.tif 000005
【図４】
2019040095.tif 000006
【図５Ａ】
2019040095.tif 000007
【図５Ｂ】
2019040095.tif 000008
【図６】
2019040095.tif 000009
【図７】
2019040095.tif 000010
【図８】
2019040095.tif 000011
【図９】
2019040095.tif 000012